(57)【要約】【課題】環境変化、配線の接続抵抗などの影響を受けることなく、より正確にＣＯＭ電圧の調整を行い、横シャドーを防止することのできる液晶表示装置を実現する。【解決手段】本発明の液晶表示装置１は、横シャドーの発生を防止するために、共通電極ＣＯＭへ送信する共通電極駆動信号の波形を変更する液晶コントローラ（共通電極駆動部）１４を備えている。液晶コントローラ１４は、タイミングコントローラ（タイミング制御部）２２へ入力されるデータ信号に基づいて、該データ信号がデータ信号線ＳＬへ入力されるときの共通電極の電圧降下量を算出するＣＯＭ負荷演算部（共通電極負荷演算部）２３と、該共通電極負荷演算部で算出された電圧降下量をキャンセルするように、共通電極駆動信号の波形を変更する共通電極電源回路（信号生成部）２１とを備えている。【選択図】図１
2009109924.tif 000002
【特許請求の範囲】
【請求項１】
複数の走査信号線と、
該走査信号線に交差するように配置された複数のデータ信号線と、
上記走査信号線に入力される走査信号が導通を指示した場合に、対応するデータ信号線と画素電極とを接続するスイッチング素子を含み、上記各走査信号線と各データ信号線との組み合わせに対応して設けられた画素と、
液晶層を介して、上記各画素電極に対向する位置に配され、共通電極駆動信号が印加される共通電極とを有するアクティブマトリクス型の液晶表示装置において、
上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更する共通電極駆動部を備えていることを特徴とする液晶表示装置。
【請求項２】
上記共通電極駆動部は、上記タイミング制御部へ入力されるデータ信号に基づいて、該データ信号が上記データ信号線へ入力されるときの共通電極の電圧降下量を算出する共通電極負荷演算部と、該共通電極負荷演算部で算出された電圧降下量をキャンセルするように、共通電極駆動信号の波形を変更する信号生成部とを備えていることを特徴とする請求項１に記載の液晶表示装置。
【請求項３】
上記共通電極負荷演算部では、上記タイミング制御部へ入力されるデータ信号と、該データ信号が上記データ信号線へ入力されるときの共通電極の電圧降下量に基づいて決定された共通電極電圧調整信号とが対応付けられたルックアップテーブルを参照して、共通電極電圧調整信号を出力し、
上記信号生成部は、上記共通電極調整信号に基づいて共通電極駆動信号の波形を変更することを特徴とする請求項２に記載の液晶表示装置。
【請求項４】
装置が置かれている環境に関する情報を取得する環境情報取得部を備えているとともに、
上記ルックアップテーブルは、上記環境情報の値によって異なる複数種類のものから構成されており、
上記共通電極負荷演算部は、上記環境情報取得部が取得した情報に基づいて、上記ルックアップテーブルを選択することを特徴とする請求項３に記載の液晶表示装置。
【請求項５】
装置の置かれている環境に関する情報を取得する環境情報取得部を備えており、
上記共通電極負荷演算部は、上記環境情報取得部が取得した情報に基づいて、演算パラメータを選択して演算を行い、電圧降下量を決定することを特徴とする請求項２に記載の液晶表示装置。
【請求項６】
複数の走査信号線と、走査信号線に互いに交差した複数のデータ信号線と、対応する走査信号線の走査信号が導通を指示した場合に、対応するデータ信号線と画素電極とを接続するスイッチング素子を含み、上記各走査信号線と各データ信号線との組み合わせに対応して設けられた画素と、液晶層を介して、上記各画素電極に対向する位置に配され、共通電極駆動信号が印加される共通電極とを有するアクティブマトリクス型の液晶表示装置で使用され、上記共通電極に送信する共通電極駆動信号を生成する共通電極駆動回路であって、
上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、元の信号から波形を変更して共通電極駆動信号を生成していることを特徴とする共通電極駆動回路。
【請求項７】
複数の走査信号線と、走査信号線に互いに交差した複数のデータ信号線と、対応する走査信号線の走査信号が導通を指示した場合に、対応するデータ信号線と画素電極とを接続するスイッチング素子を含み、上記各走査信号線と各データ信号線との組み合わせに対応して設けられた画素と、液晶層を介して、上記各画素電極に対向する位置に配され、共通電極駆動信号で交流駆動される共通電極とを有するアクティブマトリクス型の液晶表示装置の駆動方法において、
上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更することを特徴とする液晶表示装置の駆動方法。
【請求項８】
１水平走査周期毎に上記共通電極の電位の極性を反転させる１Ｈ反転駆動を行っていることを特徴とする請求項７に記載の液晶表示装置の駆動方法。
【請求項９】
請求項１から５の何れか１項に記載の液晶表示装置に備えられた共通電極に送信する共通電極駆動信号を生成するための信号生成プログラムであって、
コンピュータを、上記共通電極駆動部として機能させるための信号生成プログラム。
【請求項１０】
請求項９に記載の信号生成プログラムが記録されたコンピュータ読取可能な記録媒体。
【発明の詳細な説明】
【技術分野】
【０００１】
本発明は、表示における横シャドーの発生を防止した液晶表示装置、およびその駆動方法に関するものである。
【背景技術】
【０００２】
近年、液晶表示装置は、ＣＲＴ（Cathode-Ray-Tube）に比べて、消費電力が少なく、小型化がしやすいため、急速に普及しつつある。これらの液晶表示装置の中でも、応答速度が速く、多階調表示が容易なアクティブマトリクス型の液晶表示装置が広く使用されている。
【０００３】
しかし、アクティブマトリクス型の液晶表示装置において、特に、より広い表示画面で、より高精細な表示装置を実現しようとすると、１水平走査期間毎にデータ信号線ＳＬ１〜ＳＬｎの出力を極性反転させる場合（これを１Ｈ反転駆動とも呼ぶ）、横シャドーが発生しやすくなり、画質が低下するという問題を生ずる。これは、ドレイン書き込み時のソース出力電圧の立ち上げ（図７の矢印参照）、立ち下げ（図８の矢印参照）が液晶容量Ｃｌｃを介してＣＯＭ電圧への突き下げを行うことに起因する。
【０００４】
この点について、図を参照しながら以下に説明する。図７および図８には、アクティブマトリクス型の液晶表示装置の一部分の構成を模式的に示す。図７は、ソース出力電圧が正極性の場合であり、図８は、ソース出力電圧が負極性の場合である。
【０００５】
これらの図に示すように、アクティブマトリクス型の液晶表示装置は、複数のデータ信号線ＳＬ（ＳＬ１〜ＳＬｎ）と、複数の走査信号線ＧＬ（ＧＬ１〜ＧＬｍ）とが互いに交差するように配置されており、各信号線の交差部近傍にスイッチング素子としてのＴＦＴ素子Ｔｒが形成されている。この各ＴＦＴ素子Ｔｒに対応して画素ＰＩＸが形成されている。
【０００６】
各ＴＦＴ素子ＴｒのドレインＤは、画素電極に接続されており、この画素電極は、液晶層を挟んで設けられた共通電極ＣＯＭとの間で液晶容量Ｃｌｃを形成しているとともに、補助容量配線ＣＳとの間で補助容量Ｃｃｓを形成している。この液晶容量Ｃｌｃと補助容量Ｃｃｓとで画素容量Ｃｐが形成される。
【０００７】
そして、１水平走査期間毎にデータ信号線ＳＬ１〜ＳＬｎの出力を極性反転させる場合（これを１Ｈ反転駆動とも呼ぶ）、１水平走査期間毎に、ＴＦＴ素子ＴｒのソースＳと共通電極ＣＯＭとの間の容量を充放電する電流が流れる。このような電流の影響が、液晶容量Ｃｌｃを介して共通電極電圧（ＣＯＭ電圧）の電圧降下（突き下げ）を引き起こす。
【０００８】
ここで、上記容量の充放電電流は、データ信号線ＳＬ１〜ＳＬｎの出力振幅によって異なる。そのため、上記の電圧降下量は、データ信号線ＳＬ１〜ＳＬｎの出力振幅に応じて変化する。
【０００９】
例えば、図７に示すようなソース出力電圧が正極性の場合と、図８に示すようなソース出力電圧が負極性の場合とでは、共通電極ＣＯＭの極性に対するソース出力電圧の極性が異なることに起因して、共通電極ＣＯＭへの負荷が大きく異なることになる。そして、共通電極ＣＯＭへの負荷は、１本の走査信号線ＧＬのトータル負荷によって決定される。なお、ソース出力電圧が正極性の場合には、出力電圧は立ち上げられるが、共通電極の電圧（ＣＯＭ電圧）の振幅よりも小さい振幅であるため、頭打ちすることで結果的に突き下げ（電圧降下）となる。
【００１０】
例えば、ノーマリーホワイトモードにおいては、図９に示すような黒表示（逆極性）時には、ソース出力電圧（Ｖｓ：破線）の立ち下げによってＣＯＭ電圧（Ｖｃｏｍ：実線）への突き下げ（電圧降下）の影響は大きくなる一方、図１０に示すような白表示（同極性）時には、ソース出力電圧（Ｖｓ：破線）の立ち上げによってＣＯＭ電圧への突き下げの影響は小さくなる。このように、表示階調によって共通電極電位Ｖｃｏｍ（Ｖｃｏｍ：実線）の振幅に変化が生じてしまう（図１１参照））。この結果、１水平走査期間毎の表示パターンの相違によって、共通電極電位Ｖｃｏｍ波形の立ち上がり速度が変化してしまう。そして、立ち上り速度の低下によって液晶の充電時間内にＣＯＭが想定している電位に到達することができず、結果として液晶印加電圧が不足するため表示に影響に影響を及ぼしてしまう。図１１では、白表示時のＶｃｏｍを破線で示し、黒表示時のＶｃｏｍを一点鎖線で示す。
【００１１】
このような表示パターンの一例として、例えば図１２に示すような、液晶印加電圧変化の影響を受けやすい中間調（例えば、Ｌ３２）の背景と、ＣＯＭ電極への突き下げ効果が最も大きくなる（ＣＯＭ電圧への負荷が最も高い）黒表示（例えば、Ｌ０）の中央部分とから構成される表示パターンが挙げられる。このような表示パターンは、ウィンドウパターンと呼ばれる。
【００１２】
このウィンドウパターンでは、１水平走査期間、全てのデータ信号線ＳＬ１〜ＳＬｎが白表示である箇所Ａと、黒表示を含む箇所Ｂとを比較すると、箇所Ｂの方が、共通電極線の根元および補助容量配線の根元に流れる電流が大きくなる。したがって、上記抵抗成分によって、共通電極電位Ｖｃｏｍ波形の立ち上がりは、実線で示す箇所Ａの場合に比べて、箇所Ｂの方が大きく鈍ってしまう。
【００１３】
これにより、箇所Ａよりも箇所Ｂの方が全体的に液晶印加電圧が不足してしまう。この結果、図１３に示すように、箇所Ｂの中間調表示部の方が箇所Ａの中間調表示部よりも明るくなり、横シャドーが発生する。なお、ここでは、ノーマリーホワイトモードの液晶表示装置を用いて説明しているが、ノーマリブラックモードの液晶表示装置の場合にも同様になる。
【特許文献１】特開２００１−１４７４２０号公報（２００１年５月２９日公開）
【発明の開示】
【発明が解決しようとする課題】
【００１４】
上記のような横シャドーを防止するために、特許文献１では、ソースドライバ（データ信号線駆動回路）からの出力電圧、つまり、アナログ信号の１ゲートライン分のデータをＣＯＭ電源回路へフィードバックし、ソース出力電圧から受ける突き下げの影響をキャンセルするという手法が提案されている。
【００１５】
図１４には、特許文献１において提案されている手法を用いた液晶表示装置１００の一構成例を模式的に示す。液晶表示装置１００は、複数のデータ信号線ＳＬと、複数の走査信号線ＧＬ（図示せず）とが互いに交差するように配置されており、各信号線の交差部近傍にスイッチング素子としてのＴＦＴ素子Ｔｒ（図示せず）が形成された、アクティブマトリクス型の液晶表示装置である。
【００１６】
この各ＴＦＴ素子Ｔｒに対応して、液晶表示パネル１０２の表示領域１０２ａ内には、画素ＰＩＸ（図示せず）が形成されている。液晶表示パネル１０２の非表示領域（額縁領域）１０２ｂには、データ信号線ＳＬを駆動するためのデータ信号線駆動回路１０３と、走査信号線ＧＬを駆動するための走査信号線駆動回路１０４とが設けられている。
【００１７】
液晶表示パネル１０２上に形成されたデータ信号線駆動回路１０３および走査信号線駆動回路１０４は、フレキシブルプリント基板（ＦＰＣ）１１１を介して、液晶コントローラを搭載した外部回路基板（ＰＷＢ）１１２に接続されている。外部回路基板１１２には、共通電極電源回路１２１およびタイミングコントローラ１２２などが設けられている。
【００１８】
そして、液晶表示装置１００においては、各データ信号線ＳＬの出力の総和を検出するための検出用バスライン１１３が、各データ信号線ＳＬに交差するように配置されている。この検出用バスライン１１３によって検出されたデータ信号線駆動回路からの出力電圧は、共通電極電源回路１２１にフィードバックされる。共通電極電源回路１２１では、フィードバックされた信号に基づいてソース出力電圧から受ける突き下げの影響をキャンセルした共通電極駆動信号を生成し、液晶表示パネル１０２の共通電極へ送信する。このようにして、横シャドーを防止している。
【００１９】
しかしながら、上記のようなアナログ信号をフィードバックするという手法では、表示装置の置かれた環境の変化（例えば、温度変化）に十分に対応できずに、調整されたＣＯＭ電圧値に誤差が生じてしまうという問題が発生する。これは、温度などの環境の変化によって、ドレインへの書き込み効率、メタル抵抗値などの各種パラメータに変化が生じることによって、ＣＯＭ電圧値の突き下げ量が変動するためである。
【００２０】
このように、従来のソース出力のみをフィードバックするという手法では、液晶モジュール全体としての環境変化によるＣＯＭ突き下げ量の変動には追随できない。
【００２１】
また、アナログ信号をフィードバックする場合、一般的な液晶表示装置においては、ソース出力電圧検出用のバスラインとＣＯＭ電源回路とをつなぐ配線は、表示パネルからフレキシブルプリント基板（ＦＰＣ）上を通って外部回路基板（ＰＷＢ）へと配置されることになるため、この配線経路の接続抵抗などが原因となって、正確なフィードバックが困難になってしまうという問題も発生する。
【００２２】
本発明は、上記の問題点に鑑みてなされたものであり、環境変化、検出用バスラインの接続抵抗などの影響を受けることなく、より正確にＣＯＭ電圧の調整を行い、横シャドーを防止することのできる液晶表示装置を実現することを目的とする。
【課題を解決するための手段】
【００２３】
本発明にかかる液晶表示装置は、上記の課題を解決するために、複数の走査信号線と、該走査信号線に交差するように配置された複数のデータ信号線と、上記走査信号線に入力される走査信号が導通を指示した場合に、対応するデータ信号線と画素電極とを接続するスイッチング素子を含み、上記各走査信号線と各データ信号線との組み合わせに対応して設けられた画素と、液晶層を介して、上記各画素電極に対向する位置に配され、共通電極駆動信号が印加される共通電極とを有するアクティブマトリクス型の液晶表示装置において、上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更する共通電極駆動部を備えていることを特徴としている。
【００２４】
本発明の液晶表示装置においては、横シャドーの発生を防ぐために行う、共通電極電圧の調整を、従来のようなソースドライバからの出力電圧（アナログ信号）を読み取って、それを共通電極駆動回路へフィードバックするという方法ではなく、ソースドライバ（データ信号線駆動回路）およびゲートドライバ（走査信号線駆動回路）などの駆動回路を制御するためのタイミング制御部へ入力されるデジタル信号であるデータ信号（例えば、階調データ）に基づいて行っている。
【００２５】
これにより、従来のフィードバックにより共通電極駆動信号を調整する方法の問題点であった、環境の変化、あるいは、検出用バスラインの接続抵抗などの影響により正確な電圧調整が行えなくなるという問題を解決することができる。したがって、上記の構成によれば、より正確に共通電極駆動信号（ＣＯＭ電圧）の調整を行い、横シャドーを防止することのできる液晶表示装置を実現することができる。
【００２６】
本発明の液晶表示装置において、上記共通電極駆動部は、上記タイミング制御部へ入力されるデータ信号に基づいて、該データ信号が上記データ信号線へ入力されるときの共通電極の電圧降下量を算出する共通電極負荷演算部と、該共通電極負荷演算部で算出された電圧降下量をキャンセルするように、共通電極駆動信号の波形を変更する信号生成部とを備えていてもよい。
【００２７】
本発明の液晶表示装置において、上記共通電極負荷演算部では、上記タイミング制御部へ入力されるデータ信号と、該データ信号がデータ信号線へ入力されるときの共通電極の電圧降下量に基づいて決定された共通電極電圧調整信号とが対応付けられたルックアップテーブルを参照して、共通電極電圧調整信号を出力し、上記信号生成部は、上記共通電極調整信号に基づいて共通電極駆動信号の波形を変更することが好ましい。
【００２８】
上記の構成によれば、タイミング制御部へ入力されるデータ信号に基づいてルックアップテーブルを参照するだけで共通電極の電圧を調整するための信号を求めることができるため、演算回路を使用する必要がない。そのため、回路の複雑化を抑えることができる。
【００２９】
本発明の液晶表示装置は、装置が置かれている環境に関する情報を取得する環境情報取得部を備えているとともに、上記ルックアップテーブルは、上記環境情報の値によって異なる複数種類のものから構成されており、上記共通電極負荷演算部は、上記環境情報取得部が取得した情報に基づいて、上記ルックアップテーブルを選択することが好ましい。
【００３０】
装置の置かれた環境（例えば、温度）に変化が生じるとドレインへの書き込み効率、メタル抵抗値などの各種パラメータに変化が生じる。これにより、調整された共通電極の電圧値に誤差が生じてしまうという問題が発生する。
【００３１】
上記の構成によれば、装置が置かれている環境の変化に応じて変化するドレインへの書き込み効率、メタル抵抗値などの各種パラメータに対応させたルックアップテーブルを作成することができ、環境の変化に合わせて変化する電圧降下量に基づいた共通電極電圧調整信号をそれぞれ求めることができる。そのため、環境の変化に応じたより正確な共通電極の電圧調整を行うことができる。
【００３２】
なお、ここで上記の環境に関する情報とは、例えば、温度、湿度などの情報である。
【００３３】
本発明の液晶表示装置は、装置の置かれている環境に関する情報を取得する環境情報取得部を備えており、上記共通電極負荷演算部は、上記環境情報取得部が取得した情報に基づいて、演算パラメータを選択して演算を行い、電圧降下量を決定することが好ましい。
【００３４】
装置の置かれた環境（例えば、温度）に変化が生じるとドレインへの書き込み効率、メタル抵抗値などの各種パラメータに変化が生じる。これにより、調整された共通電極の電圧値に誤差が生じてしまうという問題が発生する。
【００３５】
上記の構成によれば、環境情報取得部が取得した環境の情報に基づいて、ドレインへの書き込み効率、メタル抵抗値などの演算パラメータを選択することができるため、環境の変化に合わせて電圧降下量をそれぞれ求めることができる。そのため、環境の変化に応じたより正確な共通電極の電圧調整を行うことができる。
【００３６】
また、本発明の液晶表示装置においては、従来のようにアナログ信号をフィードバックするのではなく、タイミング制御部へ入力されるデジタル信号であるデータ信号（例えば、階調データ）を利用して共通電極駆動信号の波形を変更している。そのため、演算回路を使用することなく、例えば、液晶コントローラ内における単純な演算で、共通電極の電圧調整を行うことができる。
【００３７】
なお、ここで上記の環境に関する情報とは、例えば、温度、湿度などの情報である。
【００３８】
本発明にかかる共通電極駆動回路は、上記の課題を解決するために、複数の走査信号線と、走査信号線に互いに交差した複数のデータ信号線と、対応する走査信号線の走査信号が導通を指示した場合に、対応するデータ信号線と画素電極とを接続するスイッチング素子を含み、上記各走査信号線と各データ信号線との組み合わせに対応して設けられた画素と、液晶層を介して、上記各画素電極に対向する位置に配され、共通電極駆動信号が印加される共通電極とを有するアクティブマトリクス型の液晶表示装置で使用され、上記共通電極に送信する共通電極駆動信号を生成する共通電極駆動回路であって、上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、元の信号から波形を変更して共通電極駆動信号を生成していることを特徴としている。
【００３９】
本発明の共通電極駆動回路においては、液晶表示装置における横シャドーの発生を防ぐために行う、共通電極電圧の調整を、従来のようなソースドライバからの出力電圧を読み取って、それを共通電極駆動回路へフィードバックするという方法ではなく、タイミング制御部へ入力されるデジタル信号であるデータ信号（例えば、階調データ）に基づいて行っている。
【００４０】
これにより、従来のフィードバックにより共通電極駆動信号を調整する方法の問題点であった、環境の変化、あるいは、検出用バスラインの接続抵抗などの影響により正確な電圧調整が行えなくなるという問題を解決することができる。したがって、上記の構成によれば、より正確に共通電極駆動信号（ＣＯＭ電圧）の調整を行い、横シャドーを防止することのできる液晶表示装置を実現することができる。
【００４１】
本発明にかかる液晶表示装置の駆動方法は、上記の課題を解決するために、複数の走査信号線と、走査信号線に互いに交差した複数のデータ信号線と、対応する走査信号線の走査信号が導通を指示した場合に、対応するデータ信号線と画素電極とを接続するスイッチング素子を含み、上記各走査信号線と各データ信号線との組み合わせに対応して設けられた画素と、液晶層を介して、上記各画素電極に対向する位置に配され、共通電極駆動信号で交流駆動される共通電極とを有するアクティブマトリクス型の液晶表示装置の駆動方法において、上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更することを特徴としている。
【００４２】
本発明の液晶表示装置の駆動方法においては、液晶表示装置における横シャドーの発生を防ぐために行う、共通電極電圧の調整を、従来のようなソースドライバからの出力電圧（アナログ信号）を読み取って、それを共通電極駆動回路へフィードバックするという方法ではなく、ソースドライバ（データ信号線駆動回路）およびゲートドライバ（走査信号線駆動回路）などの駆動回路を制御するためのタイミング制御部へ入力されるデジタル信号であるデータ信号（例えば、階調データ）に基づいて行っている。
【００４３】
これにより、従来のフィードバックにより共通電極駆動信号を調整する方法の問題点であった、環境の変化、あるいは、検出用バスラインの接続抵抗などの影響により正確な電圧調整が行えなくなるという問題を解決することができる。したがって、上記の方法によれば、より正確に共通電極駆動信号（ＣＯＭ電圧）の調整を行い、横シャドーを防止することのできる液晶表示装置を実現することができる。
【００４４】
本発明の液晶表示装置の駆動方法では、１水平走査周期毎に上記共通電極の電位の極性を反転させる１Ｈ反転駆動を行っていることが好ましい。
【００４５】
上記の駆動方法によれば、共通電極の電位が一定で、正極性の場合の電位と負極性の場合の電位との双方をデータ信号線の駆動回路が出力する場合に比べて、液晶を交流駆動する際のデータ信号線の駆動回路の出力レンジを狭めることができ、液晶表示装置の消費電力を削減することができる。
【００４６】
本発明における信号生成プログラムは、上記の何れかの液晶表示装置に備えられた共通電極に送信する共通電極駆動信号を生成するための信号生成プログラムであって、コンピュータを、上記共通電極駆動部として機能させるための信号生成プログラムである。また、本発明における記録媒体は、上記の信号生成プログラムが記録されたコンピュータ読取可能な記録媒体である。
【００４７】
すなわち、本発明にかかる信号生成プログラムは、上述の何れかの構成からなる液晶表示装置における共通電極駆動信号の生成をコンピュータで実現するためのものである。また、本発明にかかる記録媒体は、上記信号生成プログラムを記録したコンピュータ読取可能な記録媒体である。
【発明の効果】
【００４８】
本発明の液晶表示装置は、以上のように、上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更する共通電極駆動部を備えている。
【００４９】
また、本発明の液晶表示装置の駆動方法は、以上のように、上記走査信号線および上記データ信号線を駆動するための駆動回路へ送信される各信号のタイミングを制御するためのタイミング制御部へ入力されるデータ信号を読み取り、このデータ信号から共通電極へかかる負荷を算出し、その算出結果に基づいて、上記画素電極へ印加されるデータ信号の電圧によって生じる上記共通電極の電圧降下をキャンセルするように、上記共通電極へ送信する共通電極駆動信号の波形を変更するというものである。
【００５０】
したがって、本発明によれば、より正確に共通電極駆動信号（ＣＯＭ電圧）の調整を行い、横シャドーを防止することのできる液晶表示装置を実現することができる。
【発明を実施するための最良の形態】
【００５１】
〔第１の実施形態〕
本発明の一実施形態について図１〜図４に基づいて説明すると以下の通りである。
本実施の形態では、例えば、車載用の表示装置などとして使用される液晶表示装置を例に挙げて説明する。図２には、本実施の形態にかかる液晶表示装置１の構成を模式的に示す。
【００５２】
図２に示すように、液晶表示装置１は、マトリクス状に配された画素ＰＩＸ…を有する液晶表示パネル２と、各画素ＰＩＸ…を駆動するデータ信号線駆動回路（駆動回路）３および走査信号線駆動回路（駆動回路）４とを備えており、各画素ＰＩＸの表示状態を示す映像信号ＤＡＴに応じて、画像を表示することができる。
【００５３】
上記液晶表示パネル２は、ｎ本のデータ信号線ＳＬ１〜ＳＬｎと、各データ信号線ＳＬ１〜ＳＬｎにそれぞれ交差するｍ本の走査信号線ＧＬ１〜ＧＬｍとを備えている。また、ｎ以下の任意の正整数をｉとし、ｍ以下の任意の正整数をｊとすると、データ信号線ＳＬｉと走査信号線ＧＬｊとの組み合わせ毎に、画素ＰＩＸ（ｉ，ｊ）が設けられており、各画素ＰＩＸ（ｉ，ｊ）は、隣接する２本のデータ信号線ＳＬｉ・ＳＬｉ＋１、および、隣接する２本の走査信号線ＧＬｊ・ＧＬｊ＋１で包囲された部分に配される。液晶表示パネル２は、各画素ＰＩＸが配置された表示領域２ａと、データ信号線駆動回路３および走査信号線駆動回路４などが配置された非表示領域（額縁領域）２ｂとに分けられる。
【００５４】
図３には、液晶表示装置１における一画素の構成を示す。ここで、上記画素ＰＩＸ（ｉ，ｊ）は、例えば、図３に示すように、画素ＰＩＸ（ｉ，ｊ）内には、ゲート（Ｇ）が走査信号線ＧＬに接続され、ソース（Ｓ）がデータ信号線ＳＬに接続されたＴＦＴ素子（スイッチング素子）Ｔｒが設けられている。このＴＦＴ素子ＴｒのドレインＤは、画素電極に接続されており、この画素電極は、液晶層を挟んで設けられた共通電極ＣＯＭとの間で液晶容量Ｃｌｃを形成しているとともに、補助容量配線ＣＳとの間で補助容量Ｃｃｓを形成している。この液晶容量Ｃｌｃと補助容量Ｃｃｓとで画素容量Ｃｐが形成される。
【００５５】
上記画素ＰＩＸ（ｉ，ｊ）において、走査信号線ＧＬｊが選択されると、ＴＦＴ素子Ｔｒが導通し、データ信号線ＳＬｉの印加電位と共通電極ＣＯＭの印加電位Ｖｃｏｍとの差（電圧）に応じた電荷が、画素容量Ｃｐに蓄積される。一方、当該走査信号線ＧＬｊの選択期間が終了して、ＴＦＴ素子Ｔｒが遮断されている間、画素容量Ｃｐは、遮断時の電圧を保持し続ける。ここで、液晶の透過率あるいは反射率は、液晶容量Ｃｌｃに印加される電圧によって変化する。したがって、走査信号線ＧＬｊを選択し、データ信号線ＳＬｉへ表示データに応じた電圧を印加すれば、当該画素ＰＩＸ（ｉ，ｊ）の表示状態を、表示データに合わせて変化させることができる。
【００５６】
ここで、本実施形態にかかる液晶表示装置１は、１水平走査周期毎に共通電極電位Ｖｃｏｍの極性を反転させる１Ｈ反転駆動を採用している。したがって、図２に示す共通電極電源回路２１は、１水平走査周期毎に極性を反転させながら、基本的には、「＋」または「−」レベルの電位を共通電極ＣＯＭへ印加する。これにより、共通電極電位Ｖｃｏｍが一定で、正極性（＋）の場合の電位と負極性（−）の場合の電位との双方をデータ信号線駆動回路３が出力する場合に比べて、液晶を交流駆動する際のデータ信号線駆動回路３の出力レンジを狭めることができ、液晶表示装置１の消費電力を削減できる。
【００５７】
また、図２に示す液晶表示装置１では、走査信号線駆動回路４が走査信号線ＧＬｊを選択し、選択中の走査信号線ＧＬｊとデータ信号線ＳＬｉとの組み合わせに対応する画素ＰＩＸ（ｉ，ｊ）への表示データが、データ信号線駆動回路３によって、それぞれのデータ信号線ＳＬ１〜ＳＬｎへ出力される。一方、共通電極電源回路２１は、共通電極が対向電圧の電位を保持するための共通電極駆動信号を共通電極へ印加し、共通電極ＣＯＭを駆動する。これにより、当該走査信号線ＧＬｊに接続された画素ＰＩＸ（１，ｊ）〜ＰＩＸ（ｎ，ｊ）へ、それぞれの表示データが書き込まれる。さらに、走査信号線駆動回路４が走査信号線ＧＬを順次選択し、データ信号線駆動回路３が各データ信号線ＳＬ１〜ＳＬｎへ表示データを出力する。この結果、液晶表示パネル２の全画素ＰＩＸ…に、それぞれの表示データが書き込まれ、液晶表示パネル２に画像が表示される。
【００５８】
次に、液晶表示パネル２に対して表示駆動を行うための各駆動回路について、図１を参照しながら説明する。図１は、液晶表示装置１における液晶コントローラ１４の内部の構成をより具体的に示すブロック図である。
【００５９】
なお、データ信号線ＳＬを駆動するためのデータ信号線駆動回路３、および、走査信号線ＧＬを駆動するための走査信号線駆動回路４の構成については、従来公知の液晶表示装置における各駆動回路と同様の構成を適用可能であるため、具体的な説明は省略する。
【００６０】
液晶表示パネル２の非表示領域（額縁領域）２ｂには、データ信号線ＳＬを駆動するためのデータ信号線駆動回路３と、走査信号線ＧＬを駆動するための走査信号線駆動回路４とが設けられている。
【００６１】
液晶表示パネル２上に形成されたデータ信号線駆動回路３および走査信号線駆動回路４は、フレキシブルプリント基板（ＦＰＣ）１１を介して、液晶コントローラ１４を搭載した外部回路基板（ＰＷＢ）１２に接続されている。
【００６２】
そして、本実施の形態の液晶表示装置１には、横シャドーの発生を防止するために、データ信号線ＳＬへ入力されるデータ信号を読み取り、このデータ信号から共通電極ＣＯＭへかかる負荷を算出し、その算出結果に基づいて、画素電極へ印加されるデータ信号の電圧によって生じる上記共通電極ＣＯＭの電圧降下をキャンセルするように、上記共通電極ＣＯＭへ送信する共通電極駆動信号の波形を変更するための構成（共通電極駆動部、共通電極駆動回路）が、液晶コントローラ１４の内部に備えられている。
【００６３】
具体的には、液晶コントローラ１４の内部には、図１に示すように、共通電極駆動信号の波形を変更するための構成として、タイミングコントローラ（Ｔ−ｃｏｎ）２２、環境情報取得部２６、不揮発性記憶素子（ＥＥＰＲＯＭ）２７、共通電極電源回路（信号生成部）２１が備えられている。
【００６４】
タイミングコントローラ（タイミング制御部）２２は、外部の信号源３１から送信された入力画像データ信号（デジタルデータ）に基づいて、各データ信号線ＳＬ１〜ＳＬｎへ送信すべきデータ信号、各走査信号線ＧＬ１〜ＧＬｍへ送信すべき走査信号、および、共通電極ＣＯＭへ送信すべき共通電極駆動信号の送信のタイミングを制御する。なお、図示はしていないが、タイミングコントローラ２２から出力された画像データ信号は、その後、データ信号線を駆動するためのソースドライバ（データ信号線駆動回路）へ入力される。ソースドライバでは、入力されたデジタルのデータ信号（例えば、階調データ）に基づいて、アナログ信号であるソース電圧（例えば、階調電圧）を生成し、このソース電圧を各データ信号線へ印加する。
【００６５】
なお、タイミングコントローラ（Ｔ−ｃｏｎ）２２の内部、または、タイミングコントローラ２２の外部には、外部の信号源３１から送信された入力画像データを一時的に格納するラインバッファとしての役割を果たすラインメモリ２４（２４ａまたは２４ｂ）が備えられている。ラインメモリ２４には、入力された入力画像データが１水平ラインづつ受信されて一旦保持される。ここでは、タイミングコントローラ２２内に内蔵されているものを第１のラインメモリ２４ａと呼び、タイミングコントローラ２２の外部に設けられているものを第２のラインメモリ２４ｂと呼ぶ。
【００６６】
環境情報取得部２６は、共通電極駆動信号の波形に影響を及ぼす温度などの環境情報を取得する。なお、環境情報取得部２６が取得する環境情報は、液晶表示装置１の外部に備えられた温度センサが感知した情報であってもよいし、液晶表示装置１の外部回路基板１２上に備えられた温度センサなどの環境情報検知部が検知した情報であってもよい。
【００６７】
不揮発性記憶素子２７は、環境情報の数値によって異なる複数のルックアップテーブル（ＬＵＴ）２８を格納している。例えば、環境情報が温度である場合、不揮発性記憶素子２７は、タイミングコントローラ２２に入力されるデータ信号と、該データ信号が各データ信号線ＳＬ１〜ＳＬｎに入力されるときの共通電極ＣＯＭの電圧降下量に基づいて決定された電源調整用信号（共通電極電圧調整信号）とを１対１で対応付けたルックアップテーブルを、液晶表示装置１の仕様温度範囲内で１℃間隔で作成したものを格納しておけばよい。なお、不揮発性記憶素子２７へのルックアップテーブル２８の情報書き込み（Ｗｒｉｔｅ）は、液晶モジュールの出荷時に行うことができる。
【００６８】
また、本実施の形態においては、タイミングコントローラ２２の内部に、ＣＯＭ負荷演算部（共通電極負荷演算部）２３が設けられている。このＣＯＭ負荷演算部２３では、環境情報取得部２６が取得した環境情報に基づいて、使用するルックアップテーブル（ＬＵＴ）を選択する。さらに、ラインメモリ（第１のラインメモリ２４ａまたは第２のラインメモリ２４ｂ）から送信されたデータ信号（タイミング制御部へ入力されるデータ信号）について、選択したＬＵＴを参照して共通電極駆動信号の波形を変更するための電源調整信号を生成する。
【００６９】
そして、共通電極電源回路（信号生成部）２１は、タイミングコントローラ２２（具体的には、ＣＯＭ負荷演算部２３）からの指示に基づいて、共通電極ＣＯＭへ送信する共通電極駆動信号を生成する。
【００７０】
特に、本実施の形態では、ＣＯＭ負荷演算部２３において、ソース出力電圧の立上がりまたは立下がりによる共通電極ＣＯＭへの突き下げの影響が電圧降下量として算出され、この電圧降下量に基づくＣＯＭ電圧の調整信号が、ＣＯＭ負荷演算部２３から共通電極電源回路２１へ送信される。そして、共通電極電源回路２１では、この調整信号に基づいて、元の共通電極駆動信号のデータから、電圧降下量をキャンセルするように変更された共通電極駆動信号が生成される。ここで、元の共通電極駆動信号のデータとは、ソース出力電圧の立上がり、または、立下がりによる共通電極ＣＯＭへの突き下げ（電圧降下）を考慮しない場合の共通電極駆動信号のデータのことを意味する。
【００７１】
ここで、本実施の形態において、共通電極ＣＯＭへ印加される共通電極駆動信号を生成する方法（すなわち、本発明の液晶表示装置の駆動方法）について、図１を参照しながら説明する。
【００７２】
まず、信号源３１より入力された入力データをタイミングコントローラ２２内のラインメモリ（第１のラインメモリ２４ａまたは第２のラインメモリ２４ｂ）で取り込む。
【００７３】
ＣＯＭ負荷演算部２３では、環境情報取得部２６が取得した環境情報を読み込み、その値によってＬＵＴを選択する。
【００７４】
次に、ＣＯＭ負荷演算部２３は、ＬＵＴを参照しながら、ラインメモリ（第１のラインメモリ２４ａまたは第２のラインメモリ２４ｂ）に格納されたデータ信号に基づいて、対応するタイミングにおける共通電極ＣＯＭへの負荷（電圧降下量）を算出する。
【００７５】
そして、ＣＯＭ負荷演算部２３は、算出された電圧降下量からＣＯＭ電圧の調整信号を生成し、共通電極電源回路２１へ送る。共通電極電源回路２１では、送信された調整信号によって共通電極駆動信号の波形を変更し、変更後の信号を共通電極ＣＯＭへ出力する。
【００７６】
図４には、共通電極電源回路２１における共通電極駆動信号の波形変更の一例を示す。図４の左側の図は、変更前の共通電極駆動信号（Ｖｃｏｍ）の波形を実線で示す。また、この図では、実線で示される共通電極駆動信号を共通電極ＣＯＭへ印加した場合に、白表示時のＶｃｏｍの振幅変化を破線で示し、黒表示時のＶｃｏｍの振幅変化を一点鎖線で示している。なお、ここで示すものは、ノーマリーホワイトモードの液晶表示装置における振幅変化の一例である。
【００７７】
図４の右側の図には、共通電極電源回路２１において波形が変更された共通電極駆動信号の波形を一点鎖線で示す。ここで示すように、共通電極電源回路２１から出力される共通電極駆動信号（Ｖｃｏｍ）は、ソース出力電圧の立上がりまたは立下りによるＣＯＭ電圧への影響をキャンセルするために、オーバーシュートされている。このオーバーシュート量は、入力されるデータ信号によってそれぞれ異なっている。
【００７８】
なお、図４の右側の図では、液晶表示パネル２内における共通電極駆動信号（Ｖｃｏｍ）の波形を破線で示している。ここに示されるように、波形変更後の共通電極駆動信号を共通電極ＣＯＭに送信すれば、黒表示時においても白表示時においても同様の波形となる。これにより、横シャドーの発生を抑えることができる。
【００７９】
以上のように、本実施の形態の液晶表示装置においては、タイミングコントローラ（Ｔ−ｃｏｎ）２２へ入力されたデータ信号に基づいて、各環境に最適なＬＵＴを参照してＣＯＭ出力（すなわち、共通電極駆動信号）を調整している。ここで、タイミングコントローラ（Ｔ−ｃｏｎ）２２へ入力されるデータ信号とは、信号源３１から送信された入力画像データ信号（デジタルデータ）である。より具体的には、信号源３１からタイミングコントローラ２２へ入力された後、各データ信号線ＳＬ１〜ＳＬｎへ入力されるソース電圧を生成するためのソースドライバ（データ信号線駆動回路）へ所定のタイミングで入力される画像データ（例えば、階調データ）の信号ことをいう。
【００８０】
上記のように、本実施の形態では、デジタル信号であるタイミングコントローラ２２へ入力されるデータ信号に基づいて、ＣＯＭ出力（すなわち、共通電極駆動信号）を調整することで、フィードバックによりＣＯＭ出力を調整する従来の方法の問題点であった環境変化への対応を可能とする。また、本発明ではデジタル信号であるデータ信号に基づいて共通電極駆動信号の補正を行っているため、従来のフィードバックによりＣＯＭ出力を調整する方法の問題点であった、配線の抵抗による誤差も生じない。したがって、より正確にＣＯＭ電圧の調整を行い、横シャドーを防止することができる。
【００８１】
続いて、不揮発性記憶素子２７に格納されているルックアップテーブルの具体例について図５を参照しながら説明する。図５には、液晶コントローラ１４の一部分を示す。
【００８２】
図５に示す例では、不揮発性記憶素子２７には、環境情報取得部２６によって取得された温度情報に応じて選択される１４種類の共通電極電圧調整用のＬＵＴ（ＴＥＭＰ１〜ＴＥＭＰ１４）が格納されている。
【００８３】
各ＬＵＴは、入力される階調値（ここでは、０〜６３）（データ信号に相当）と、該階調値が入力されたときに出力される６ビットの電源調整用信号（共通電極電圧調整信号）とが対応付けられたテーブルである。
【００８４】
以上のような構成により、ある温度のときに、ある階調値のデータ信号が入力されると、ＣＯＭ負荷演算部２３では、不揮発性記憶素子２７に格納された該当する温度のＬＵＴを参照し、該当する階調値に対応付けられた電源調整用信号を出力する。ＣＯＭ負荷演算部２３から出力された電源調整用信号は、共通電極電源回路２１内のＤＡＣ等に入力され、該電源調整用信号に基づいてＣＯＭ出力（共通電極駆動信号）が生成される。
【００８５】
なお、液晶表示装置１の液晶コントローラ（共通電極駆動回路）１４、特にＣＯＭ負荷演算部２３は、ハードウェアロジックによって構成してもよいし、次のようにＣＰＵを用いてソフトウェアによって実現してもよい。
【００８６】
すなわち、液晶表示装置１は、共通電極駆動回路によって行われる共通電極駆動信号の生成プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである液晶表示装置１の信号生成プログラムのプログラムコード（実行形式プログラム、中間コードプログラム、ソースプログラム）をコンピュータで読み取り可能に記録した記録媒体を、上記液晶表示装置１に供給し、そのコンピュータ（またはＣＰＵやＭＰＵ）が記録媒体に記録されているプログラムコードを読み出し実行することによっても、達成可能である。
【００８７】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８８】
また、液晶表示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【００８９】
〔実施の形態２〕
次に、本発明の第２の実施形態について図６を参照しながら説明する。
【００９０】
上述した実施の形態１では、ＣＯＭ負荷演算部２３が、各データ信号に対応する共通電極ＣＯＭへの負荷（電圧降下量）が予め記憶されているＬＵＴ２８によって電圧降下量を決定し、ＣＯＭ電圧の調整信号を生成するという構成であった。しかし、本発明では、ＬＵＴを使用せずにＣＯＭ負荷演算部２３における演算によって電圧降下量を演算し、これに基づいてＣＯＭ電圧の調整信号（共通電極電圧調整信号）を生成することもできる。
【００９１】
本実施の形態では、このような構成の一例として、ＣＯＭ負荷演算部２３が、温度などの環境情報の変化に応じて演算パラメータを選択して、入力データ信号に基づいて、その入力データ信号に応じた共通電極ＣＯＭの電圧降下量を内部演算によって算出するという構成について説明する。
【００９２】
図６には、本実施の形態にかかる液晶表示装置１０の構成を示す。なお、ここでは、実施の形態１と共通する構成についてはその説明を省略し、異なる構成のみを説明する。また、各部材名称および部材番号、ならびに、信号の名称および信号の符号についても、共通するものは共通の名称及び番号（または符号）を付し、その説明を省略する。
【００９３】
図６に示すように、液晶表示装置１０の液晶コントローラ１４ａにおいては、各データ信号線ＳＬ１〜ＳＬｎに入力されるデータ信号と、該データ信号が入力されるときの共通電極ＣＯＭの電圧降下量とを１対１で対応付けたルックアップテーブルは設けられておらず、環境情報取得部２６が取得した温度などの環境情報の変化に応じて演算パラメータを選択する演算パラメータ選択部２９が、ＣＯＭ負荷演算部２３内に設けられている。
【００９４】
ＣＯＭ負荷演算部２３は、演算パラメータ選択部２９によって選択されたパラメータを使用して、入力データ信号の値から内部演算を行い、入力データ信号に応じた共通電極ＣＯＭの電圧降下量を算出している。
【００９５】
内部演算の演算式としては、例えば、以下に示すものを挙げることができる。
【００９６】
【数１】
2009109924.tif 000003
【００９７】
上記の式では、走査信号線１ライン分（例えば、８００（画素）×３（ＲＧＢ）＝２４００ドット）のデータ信号の平均階調を算出するとともに、温度情報Ｔに依存した定数Ａ（Ｔ）を平均値に乗ずることによって、電圧降下量を算出する。ここで、Ｄ（ｎ）は、走査信号線の所定の１ラインにおけるデータ信号線ＳＬｎ（ｎドット目）に入力するデータ信号の階調値である。
【００９８】
なお、上記の定数（Ｔ）は、温度に依存して変化する電圧降下量算出用の係数であり、環境情報取得部２６が取得した温度情報に応じて、演算パラメータ選択部２９によって選択される。
【００９９】
そして、ＣＯＭ負荷演算部２３は、算出された電圧降下量からＣＯＭ電圧の調整信号を生成し、共通電極電源回路２１へ送る。その後の処理には、実施の形態１と同様である。
【０１００】
これによれば、演算回路を使用することなく、液晶コントローラ１４ａ内における単純な演算で、共通電極の電圧調整を行うことができる。
【０１０１】
なお、本発明は上述した実施形態に限定されるものではなく、請求項に示した範囲で種々の変更が可能である。すなわち、請求項に示した範囲で適宜変更した技術的手段、あるいは、他の実施の形態において説明した技術的手段を組み合わせて得られる実施形態についても本発明の技術的範囲に含まれる。
【産業上の利用可能性】
【０１０２】
本発明は、ライン反転駆動によって表示駆動が行われる液晶表示装置に適用することができる。特に、本発明の液晶表示装置は、仕様温度範囲の広い車載用の液晶表示装置として好適に利用することができる。
【図面の簡単な説明】
【０１０３】
【図１】本発明の一実施の形態にかかる液晶表示装置の構成を示すブロック図である。
【図２】本発明の一実施の形態にかかる液晶表示装置の要部構成を示すブロック図である。
【図３】図３に示す液晶表示装置における画素の構成を示す回路図である。
【図４】図１に示す液晶表示装置内の液晶コントローラにおいて行われる共通電極駆動信号の波形変更を示す図である。
【図５】図１に示す液晶表示装置に格納されたルックアップテーブルの一例を示す模式図である。
【図６】本発明の第２の実施の形態にかかる液晶表示装置の構成を示すブロック図である。
【図７】一般的な液晶表示装置における画素の構成を示す回路図であって、従来の液晶表示装置において、ソース出力電圧が正極性の場合に発生するＣＯＭ電圧の突き下げについて説明するための図である。
【図８】一般的な液晶表示装置における画素の構成を示す回路図であって、従来の液晶表示装置において、ソース出力電圧が負極性の場合に発生するＣＯＭ電圧の突き下げについて説明するための図である。
【図９】ノーマリーホワイトモードの液晶表示装置において、黒表示時のソース出力電圧とＣＯＭ電圧の波形を示す図である。
【図１０】ノーマリーホワイトモードの液晶表示装置において、白表示時のソース出力電圧とＣＯＭ電圧の波形を示す図である。
【図１１】ノーマリーホワイトモードの液晶表示装置において、黒表示時と白表示時のＣＯＭ電圧の突き下げによる波形の変化を示す図である。
【図１２】従来の液晶表示装置において横シャドーが発生しやすい表示パターンの一例を示す図である。
【図１３】図１２に示す表示パターンにおいて横シャドーが発生した状態を示す図である。
【図１４】従来の液晶表示装置の構成を示すブロック図である。
【符号の説明】
【０１０４】
１    液晶表示装置
２    液晶表示パネル
３    データ信号線駆動回路（駆動回路）
４    走査信号線駆動回路（駆動回路）
１０    液晶表示装置
１４    液晶コントローラ（共通電極駆動部、共通電極駆動回路）
１４ａ  液晶コントローラ（共通電極駆動部、共通電極駆動回路）
２１    共通電極電源回路（信号生成部）
２２    タイミングコントローラ（タイミング制御部）
２３    ＣＯＭ負荷演算部（共通電極負荷演算部）
２６    環境情報取得部
２８    ルックアップテーブル（ＬＵＴ）
２９    演算パラメータ選択部
ＣＯＭ  共通電極
ＰＩＸ  画素
Ｔｒ    ＴＦＴ素子（スィッチング素子）
ＳＬ    データ信号線
ＧＬ    走査信号線
【図１】
2009109924.tif 000004
【図２】
2009109924.tif 000005
【図３】
2009109924.tif 000006
【図４】
2009109924.tif 000007
【図５】
2009109924.tif 000008
【図６】
2009109924.tif 000009
【図７】
2009109924.tif 000010
【図８】
2009109924.tif 000011
【図９】
2009109924.tif 000012
【図１０】
2009109924.tif 000013
【図１１】
2009109924.tif 000014
【図１２】
2009109924.tif 000015
【図１３】
2009109924.tif 000016
【図１４】
2009109924.tif 000017